(57)【特許請求の範囲】
【請求項１】
縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記吸液構造体の前記横方向外側に位置する一対のガスケットカフとを含み、前記前後ウエスト域には、前後ウエスト弾性体が前記横方向に収縮可能に取り付けられ、前記ガスケットカフには、ガスケット弾性体が前記縦方向に収縮可能に取り付けられた着用物品において、
前記シャーシは、前記前ウエスト域を形成する前ウエスト部材と、前記前ウエスト部材とは前記縦方向に離間して前記後ウエスト域を形成する後ウエスト部材と、前記クロッチ域を形成するクロッチ部材とを含み、
前記後ウエスト域は、ウエスト開口側に位置するウエストフィット領域と、前記ウエストフィット領域に連なって前記クロッチ域に位置する延出領域とを含み、前記後ウエスト弾性体は前記ウエストフィット領域に取り付けられ、前記延出領域には前記横方向に収縮可能な延出弾性体が取り付けられ、
前記ガスケット弾性体は、その一端が前記前ウエスト弾性体に重なり、他端が前記延出弾性体に重なって、互いに固定され、前記他端は、前記クロッチ部材の後端縁から離間して、前記他端と前記クロッチ部材の後端縁との間には、前記ガスケット弾性体の収縮力が作用しない非収縮領域が形成されていることを特徴とする前記着用物品。
【請求項２】
前記一端は、前記クロッチ部材の前端縁から離間し、前記一端と前記クロッチ部材の前端縁との間には、前記ガスケット弾性体の収縮力が作用しない非収縮領域が形成されている請求項１記載の着用物品。
【請求項３】
前記延出弾性体は、前記延出領域において、前記ウエストフィット領域側が前記クロッチ域側よりも伸長率が小さくなるように取り付けられている請求項１または２記載の着用物品。
【請求項４】
前記延出弾性体は、前記縦方向に離間した複数の弾性糸を含み、前記後ウエスト弾性体は、前記縦方向に離間した複数の弾性糸を含み、前記縦方向における前記延出弾性体の離間距離は、前記後ウエスト弾性体のそれよりも大きくされる請求項１〜３のいずれかに記載の着用物品。
【請求項５】
前記クロッチ部材の前端部は、前記前ウエスト部材に接合される前接合域を含み、前記クロッチ部材の後端部は、前記後ウエスト部材に接合される後接合域と、前記後接合域の前記クロッチ域側に位置し前記後ウエスト部材に離間可能にされた後非接合域とを含む請求項１〜４のいずれかに記載の着用物品。
【請求項６】
前記後非接合域は、前記クロッチ部材の後端部において、前記後ウエスト部材の後内端縁に隣接する領域全体に形成されている請求項５記載の着用物品。
【請求項７】
前記後接合域は、前記縦方向に離間する第１接合部および第２接合部を含む請求項５または６記載の着用物品。
【請求項８】
前記第１および第２接合部は、前記ガスケット弾性体に重なって形成される請求項７記載の着用物品。
【請求項９】
前記前後ウエスト域は、その両側縁がシーム部によって互いに接合され、前記延出領域には、前記シーム部が形成されない請求項１〜８のいずれかに記載の着用物品。
【発明の詳細な説明】
【技術分野】
【０００１】
この発明は、着用物品に関し、さらに詳しくは使い捨てのおむつ、排泄トレーニングパンツ、失禁ブリーフ等の着用物品に関する。
【背景技術】
【０００２】
従来、前腰部パネルと、後腰部パネルと、これらパネルを接合する中央パネルとを有する使い捨ておむつが知られている。例えば、特許文献１によれば、中央パネルの両側部には、縦方向に延びる脚部弾性部材が取り付けられている。中央パネル両側部によって、レッグ開口が形成され、脚部弾性部材によってレッグ開口が着用者の脚に密着し、尿等の排泄物が漏れるのを防止している。
【先行技術文献】
【特許文献】
【０００３】
【特許文献１】特開２００８−５０８０８２号公報（ＪＰ  ２００８−５０８０８２  Ａ）
【発明の概要】
【発明が解決しようとする課題】
【０００４】
中央パネルの脚部弾性部材について、おむつのクロッチ域内に配置されていてもよく、中央パネルの縦方向側縁部全体に沿って配置されていてもよいことが開示されている。しかし、脚部弾性部材の具体的な取り付け範囲については開示されていない。
【０００５】
この発明では、クロッチ域に取り付けられた弾性体によって、前後ウエスト域に対してクロッチ域の位置ずれを防止することができる着用物品を提供することを課題とする。
【課題を解決するための手段】
【０００６】
この発明は、縦方向および横方向と、身体側およびその反対側と、前ウエスト域、後ウエスト域および前記前後ウエスト域間に位置するクロッチ域を含むシャーシと、前記クロッチ域から前記前後ウエスト域へと延びる吸液構造体と、前記吸液構造体の前記横方向外側に位置する一対のガスケットカフとを含み、前記前後ウエスト域には、前後ウエスト弾性体が前記横方向に収縮可能に取り付けられ、前記ガスケットカフには、ガスケット弾性体が前記縦方向に収縮可能に取り付けられた着用物品の改良に関わる。
【０００７】
この発明は、前記着用物品において、前記シャーシは、前記前ウエスト域を形成する前ウエスト部材と、前記前ウエスト部材とは前記縦方向に離間して前記後ウエスト域を形成する後ウエスト部材と、前記クロッチ域を形成するクロッチ部材とを含み、前記後ウエスト域は、ウエスト開口側に位置するウエストフィット領域と、前記ウエストフィット領域に連なって前記クロッチ域に位置する延出領域とを含み、前記後ウエスト弾性体は前記ウエストフィット領域に取り付けられ、前記延出領域には前記横方向に収縮可能な延出弾性体が取り付けられ、前記ガスケット弾性体は、その一端が前記前ウエスト弾性体に重なり、他端が前記延出弾性体に重なって、互いに固定され、前記他端は、前記クロッチ部材の後端縁から離間して、前記他端と前記クロッチ部材の後端縁との間には、前記ガスケット弾性体の収縮力が作用しない非収縮領域が形成されていることを特徴とする。ガスケット弾性体と延出弾性体とが、互いに固定されるとは、これら弾性体が直接または間接的に接合されることを含む。間接的に接合されるとは、例えば、各弾性体をそれぞれ異なるシートの間で接合し、されにこれらシートを接合することによって実現可能である。
【０００８】
この発明の好ましい実施態様のひとつとして、前記一端は、前記クロッチ部材の前端縁から離間し、前記一端と前記クロッチ部材の前端縁との間には、前記ガスケット弾性体の収縮力が作用しない非収縮領域が形成されている。
好ましい他の実施態様のひとつとして、前記延出弾性体は、前記延出領域において、前記ウエストフィット領域側が前記クロッチ域側よりも伸長率が小さくなるようにしている。
好ましい他の実施態様のひとつとして、前記延出弾性体は、前記縦方向に離間した複数の弾性糸を含み、前記後ウエスト弾性体は、前記縦方向に離間した複数の弾性糸を含み、前記縦方向における前記延出弾性体の離間距離は、前記後ウエスト弾性体のそれよりも大きくされる。
【０００９】
好ましい他の実施態様のひとつとして、前記クロッチ部材の前端部は、前記前ウエスト部材に接合される前接合域を含み、前記クロッチ部材の後端部は、前記後ウエスト部材に接合される後接合域と、前記後接合域の前記クロッチ域側に位置し前記後ウエスト部材に離間可能にされた後非接合域とを含む。
好ましい他の実施態様のひとつとして、前記後非接合域は、前記クロッチ部材の後端部において、前記後ウエスト部材の後内端縁に隣接する領域全体にある。
【００１０】
好ましい他の実施態様のひとつとして、前記後接合域は、前記縦方向に離間する第１接合部および第２接合部を含む。
【００１１】
好ましい他の実施態様のひとつとして、前記第１および第２接合部は、前記ガスケット弾性体に重なって形成される。
【００１２】
好ましい他の実施態様のひとつとして、前記前後ウエスト域は、その両側縁がシーム部によって互いに接合され、前記延出領域には、前記シーム部が形成されない。
【発明の効果】
【００１３】
後ウエスト域は、クロッチ域へと延出した延出領域を含む。延出領域には、横方向に収縮可能に取り付けられた延出弾性体が取り付けられる。クロッチ域であって、縦方向に収縮可能に取付けられたガスケット弾性体は、その一端が前ウエスト弾性体に重なり、他端が延出弾性体に重なって接合されることとした。したがって、ガスケット弾性体を介して前後ウエスト域が連動可能となり、クロッチ域が妄りにずれるのを防止することができる。
【図面の簡単な説明】
【００１４】
【図１】実施例１のおむつの斜視図。
【図２】おむつの身体側から見た展開平面図。
【図３】おむつの着衣側から見た展開平面図。
【図４】クロッチ部材の詳細説明図。
【図５】図２のＶ−Ｖ線断面図。
【図６】図２のＶＩ−ＶＩ線断面図。
【図７】図２のＶＩＩ−ＶＩＩ線断面図。
【図８】図７の収縮力が作用した説明図。
【図９】実施例２のおむつの部分説明図。
【発明を実施するための形態】
【００１５】
[第１実施例]
図１〜８は、この発明の第１実施例を示すものであり、着用物品として使い捨ておむつを例に挙げて説明する。
【００１６】
図１はおむつ１０のウエスト開口およびレッグ開口が環状に保たれた状態の斜視図、図２はおむつ１０の身体側から見た展開平面図であって、おむつの各弾性体をその収縮力に抗して伸長させ、おむつ１０を平面に保った状態を示したもの、図３は図２を着衣側から見た平面図、図４は図２のクロッチ部材の詳細説明図、図５は図２のＶ−Ｖ線断面図、図６は図２のＶＩ−ＶＩ線断面図、図７は図２のＶＩＩ−ＶＩＩ線断面図、図８は図７の弾性体の収縮力が作用している図である。
【００１７】
おむつ１０は、縦方向Ｙおよび横方向Ｘと、身体側およびその反対側である着衣側と、前ウエスト域１１、後ウエスト域１２、前後ウエスト域１１，１２の間に位置するクロッチ域１３とを含む。おむつ１０は、横方向Ｘの長さ寸法を二等分する仮想縦中心線Ｐ−Ｐと、縦方向Ｙの長さ寸法を二等分する仮想横中心線Ｑ−Ｑとを含み、仮想縦中心線Ｐ−Ｐに対してほぼ対称に形成されている。
【００１８】
おむつ１０は、縦方向Ｙに互いに離間する前後ウエスト部材２０，３０と、これら前後ウエスト部材２０，３０をつなぐクロッチ部材４０とを含む。前後ウエスト部材２０，３０は、横方向Ｘに離間する前後両側縁２１，３１を互いに接合することによってシーム部１４が形成され、ウエスト開口および一対のレッグ開口が形成される。
【００１９】
後ウエスト部材３０は、前ウエスト部材２０よりも縦方向Ｙの長さ寸法が大きくされている。すなわち、後ウエスト部材３０には、前後ウエスト部材２０，３０をその側縁で互いに接合した場合に、前ウエスト部材２０に重なって着用者のウエストに位置するウエストフィット領域３０ａと、ウエストフィット領域３０ａからクロッチ域１３へと延出する延出領域３０ｂとが形成される。これらウエストフィット領域３０ａと延出領域３０ｂとは、仮想線３８によって画成されている。前ウエスト部材２０およびウエストフィット領域３０ａの長さ寸法は約７０〜２４０ｍｍであり、この実施形態では約１０５ｍｍである。延出領域３０ｂの縦方向Ｙの長さ寸法は約３０〜９０ｍｍであり、この実施形態では約６０ｍｍである。延出領域３０ｂの横方向Ｘの長さ寸法は、ウエストフィット領域３０ａのそれとほぼ等しくされ、ウエストフィット領域３０ａおよび延出領域３０ｂは全体として矩形を形成している。
【００２０】
前ウエスト部材２０の前外端縁２２から前内端縁２３までを前ウエスト域１１とし、後ウエスト部材３０の後外端縁３２から仮想線３８まで、すなわち、ウエストフィット領域３０ａを後ウエスト域１２とし、仮想線３８から前ウエスト部材２０の前内端縁２３までをクロッチ域１３としている。前後ウエスト部材２０，３０およびクロッチ部材４０の一部によって、この発明のシャーシを形成している。
【００２１】
上記のような寸法関係によって、図１の状態においては、延出領域３０ｂがレッグ開口を覆うようにその下端まで延出し、後述するガスケットカフ７０および漏れバリアカフ８０よりも縦方向Ｙ下方に位置するようにされている。
【００２２】
前ウエスト部材２０およびウエストフィット領域３０ａには、複数の弾性糸からなる前後ウエスト弾性体２６，３６が、横方向Ｘに延びるとともに収縮可能に伸長状態で取り付けられている。これら前後ウエスト弾性体２６，３６は、縦方向Ｙに離間して取り付けられ、そのピッチは約３〜１５ｍｍであり、この実施形態では約５ｍｍとされている。前後ウエスト弾性体２６，３６は、前後外端縁２２，３２の近傍においては、他の領域よりも伸張応力が大きくなるようにして、ウエスト開口が着用者の身体に確実に密着させ、尿等の排泄物が漏れるのを防止している。前後ウエスト弾性体２６，３６として、約４７０〜１２４０ｄｔｅｘ、の弾性糸を約３〜１２本用いることができる。この実施形態では、約４７０ｄｔｅｘの弾性糸を５本用いている。前後外端縁２２，３２から４本は約２．６倍の伸長率で取り付けられ、それよりも縦方向Ｙ内側の弾性体は約２．１倍の伸長率で取り付けられている。弾性体の伸長率は、約１．８〜３．５倍の範囲に設定することができ、適宜変更可能である。
【００２３】
延出領域３０ｂには、複数の弾性糸からなる延出弾性体５１が、横方向Ｘに延びるとともに収縮可能に伸長状態で取り付けられている。これら延出弾性体５１は、縦方向Ｙに離間して取り付けられて、そのピッチは約１０〜３０ｍｍ、この実施形態では約２０ｍｍとされ、前後ウエスト弾性体２６，３６のピッチよりも大きくされている。延出領域３０ｂは、大きな伸張応力によって身体に密着する必要がないからである。また、延出弾性体５１の本数を少なくすることによって、弾性体によって延出領域３０ｂの剛性が大きくなるのを防止することができる。延出弾性体５１として、約４７０〜１２４０ｄｔｅｘの弾性糸を約１．５〜３．２倍の伸長率に設定して取り付けるとことができる。この実施形態では、延出弾性体５１として約４７０ｄｔｅｘの弾性糸を用い、ウエストフィット領域３０ａと延出領域３０ｂとの境界線である仮想線３８から後内端縁３３に向かう１本が約２．１倍、残り２本が約２．４倍の伸長率で取り付けられている。すなわち延出領域３０ｂにおいて、仮想線３８側が後内端縁３３側よりも伸長率が小さくなるようにしている。
【００２４】
延出弾性体５１は、その周囲に直接接着剤を塗布することによって、後内外面シート３４，３５に接合されている。また、延出弾性体５１に塗布された接着剤によって、後内外面シート３４，３５も互いに接合される。したがって、確実に延出弾性体５１の抜け止めをすることができ、かつ、余分な接着剤によってシートの剛性が大きくなるのを防止することができる。前後ウエスト弾性体２６，３６も、延出弾性体５１と同様に前内外面シート２４，２５および後内外面シート３４，３５に接合することもできるし、それぞれのシートに塗布された接着剤によって接合されるようにしてもよい。
【００２５】
クロッチ部材４０には、吸液構造体４１と、ガスケットカフ７０と、漏れバリアカフ８０とが形成されている。吸液構造体４１は、吸液性のコア４１ａと、コア４１ａの内面を覆い身体側に位置する内装シート４２と、コア４１ａの外面を覆う漏れ防止シート４３と、漏れ防止シート４３の外面であって着衣側に位置する外装シート４４とを含む。コア４１ａとしては、フラッフパルプや高吸収性ポリマー粒子等を用いることができる。このようなコア４１ａは、横方向Ｘの長さ寸法が仮想横中心線Ｑ−Ｑに向かって小さくなり、仮想横中心線Ｑ-Ｑの近傍においてくびれている。
【００２６】
内装シート４２および漏れ防止シート４３は、コア４１ａの縦方向Ｙの長さ寸法よりも大きくされている。このようなクロッチ部材４０の縦方向Ｙの前後端部にはコア４１ａが存在しない、すなわち内装シート４２および漏れ防止シート４３のみで形成された前後端フラップ４５，４６が形成される。これら前後端フラップ４５，４６において、内装シート４２と漏れ防止シート４３とは、ホットメルト接着剤等の接着手段によって互いに直接接合されている。
【００２７】
同様に、横方向Ｘにおいても、内装シート４２および漏れ防止シート４３がコア４１ａの外側に延出し、両側縁フラップ４９を形成している。両側縁フラップ４９は、クロッチ部材４０の縦方向Ｙに延びている。両側縁フラップ４９において、内装シート４２と漏れ防止シート４３とは、ホットメルト接着剤等の接着手段によって互いに直接接合されている。
【００２８】
内装シート４２として、透液性の繊維不織布等を用いることができる。この内装シート４２は、例えば、単位面積当たりの質量が約１０〜３０ｇ／ｍ２のエアースルー繊維不織布、ポイントボンド繊維不織布、スパンボンド繊維不織布等を用いることができる。
漏れ防止シート４３として、透湿性かつ不透液性のプラスチックフィルムを用いることができ、このシート４３で少なくとも吸液構造体４１の全体を覆って、尿等の体液がおむつ１０外に漏れないようにしている。
外装シート４４は、透湿性かつ不透液性の繊維不織布等を用いることができる。この外装シート４４は、例えば、単位面積当たりの質量が約１０〜２５ｇ／ｍ２のスパンボンド・メルトブローン・スパンボンド（ＳＭＳ）繊維不織布、ポイントボンド繊維不織布、スパンボンド繊維不織布等を用いることができる。
【００２９】
上記のようなクロッチ部材４０は、図３に示したように、前後端フラップ４５，４６を含む前後部が前後ウエスト部材２０，３０に接合されて、前後接合域６１，６２が形成されている。前後接合域６１，６２は、クロッチ部材４０の外装シート４４と、前後ウエスト部材２０，３０の前後内面シート２４，３４との間に形成されている。前後接合域６１，６２は、クロッチ部材４０と前後ウエスト部材２０，３０とが重なっている領域のほぼ全域において形成されているが、前後ウエスト部材２０，３０の前後内端縁２３，３３に隣接する領域においては、これらが接合されない前後非接合域６３，６４が形成されている。前後非接合領域６３，６４に、前ウエスト弾性体２６および延出弾性体５１がそれぞれ位置してもよいし、これら弾性体が位置しなくてもよく、種々の設計変更が可能である。
【００３０】
前後ウエスト部材２０，３０に接合されたクロッチ部材４０は、身体側すなわち内装シート４２側から、その前後端縁４７，４８を覆うように前後カバーシート２７，３７が取り付けられている。前後カバーシート２７，３７は、前後ウエスト部材２０，３０の一方の側縁２１，３１から他方の側縁２１，３１へと横方向Ｘに延び、クロッチ部材４０の前後端部４７，４８の全域を覆うことができる。このように前後端縁４７，４８を前後カバーシート２７，３７で覆うことによって、コア４１ａの形成材料がこぼれ出ないようにするとともに、前後端縁４７，４８が着用者の肌に接触することによる肌トラブルを防止している。
【００３１】
クロッチ部材４０では、外装シート４４によって、ガスケットカフ７０および漏れバリアカフ８０が形成されている。ガスケットカフ７０は、コア４１ａの外面から延出した外装シート４４が、コア４１ａの横方向Ｘ外側において折り畳まれることによって形成される両側縁フラップ４９によって形成されている。漏れバリアカフ８０は、ガスケットカフ７０に連なってほぼＺ字形に折り畳まれて、吸液構造体４１上に位置している（図４〜８参照）。
【００３２】
両側縁フラップ４９の内面には、縦方向Ｙに延びる複数のガスケット弾性体７１が伸長状態で収縮可能に取り付けられて、ガスケットカフ７０が縦方向Ｙに弾性化されている。ガスケット弾性体７１として、約４７０〜１２４０ｄｔｅｘの弾性糸を約２．３〜３．０倍の伸長率に設定して取り付けることができる。この実施例において、ガスケット弾性体７１として約４７０ｄｔｅｘの弾性糸を用いることができ、伸長率を２．７倍としている。両側縁フラップ４９の内面、すなわち、外装シート４４の間には、吸液構造体４１の外面から横方向Ｘ外側に延出した漏れ防止シート４３の側縁部分が位置している。両側縁フラップ４９内面では、外装シート４４，漏れ防止シート４３，ガスケット弾性体７１が、接着剤等の接合手段を介して互いに接合され、ガスケット接合領域７２を形成している。ガスケット接合領域７２は、クロッチ部材４０の縦方向Ｙに連続して延びている。
【００３３】
ガスケット弾性体７１は、その一端７１ａが前ウエスト弾性体２６の一部と重なり、他端７１ｂが延出弾性体５１の一部と重なっている（図２参照）。さらに、一端７１ａは前接合域６１と重なり、他端７１ｂは後接合域６２と重なっている。すなわち、ガスケット弾性体７１は、その一端７１ａが前ウエスト弾性体２６と重なって、前接合域６１によって間接的に接合され、その他端７１ｂが延出弾性体５１と重なって、後接合領域６２と間接的に接合されている。したがって、コア４１ａの両側に取り付けられたガスケット弾性体７１は、前ウエスト弾性体２６および延出弾性体５１の横方向Ｘへの伸長に伴って、横方向Ｘ外側に引っ張られ、広い範囲でクロッチ部材４０を着用者の身体に接触させることができる。また、コア４１ａの前後端部にしわが生じるのを防止することができ、尿等の漏れを防ぐことができる。さらに。ガスケット弾性体７１が、前ウエスト弾性体２６および延出弾性体５１と重なることによって、クロッチ部材４０が前後ウエスト部材２０，３０と一体的に移動することとなり、クロッチ部材４０がずり下がるのを防止するとともに、クロッチ部材４０が着用者の身体に対して妄りにずれるのを防止することができる。クロッチ部材４０を前後ウエスト部材２０，３０に対して妄りにずれないように安定させるためには、少なくとも最もウエストフィット領域３０ａ側に位置する延出弾性体５１の１本と、ガスケット弾性体７１とが重なって接合されることが好ましく、より安定させるためには延出弾性体５１のより多くの本数、さらにはすべての本数に重なって接合されてもよい。クロッチ部材４０に対する前後ウエスト部材２０，３０の安定という点では、延出領域３０ｂを縦方向Ｙに二等分し、そのウエストフィット領域３０ａ側の領域で、延出弾性体５１とガスケット弾性体７１とが接合されることが好ましい。
【００３４】
ガスケット弾性体７１は、延出弾性体５１であって最も仮想線３８側に位置する一本に重なって接合されることが好ましい。このように接合されることによって、後ウエスト部材３０に対してクロッチ部材４０が妄りに動くのを防止することができる。特に、この実施形態に示したように、前後ウエスト部材２０，３０とクロッチ部材４０とが、別の部材によって構成されているような場合には、前後ウエスト部材２０，３０に対してクロッチ部材４０が移動しやすいが、上記構成によってこれを防止することができる。
【００３５】
ガスケット弾性体７１は、クロッチ部材４０の前後端縁４７，４８まで延びているものではなく、一端７１ａと前端縁４７、他端７１ｂと後端縁４８との間には、その伸縮力が作用しない非収縮領域７３ａ，７３ｂが形成されている。このような非収縮領域７３ａ，７３ｂとしては、この実施形態のように、弾性体を取り付けないようにしてもよいし、取り付けた弾性体の収縮力を弾性糸の切断や加熱処理によって作用させないようにしてもよい。
【００３６】
漏れバリアカフ８０は、ガスケットカフ７０からさらに横方向Ｘ内側に延びる外装シート４４が折り畳まれたスリーブによって形成される。漏れバリアカフ８０内には、縦方向Ｙに延びる複数のバリア弾性体８１が伸長状態で収縮可能に取り付けられ、漏れバリアカフ８０が縦方向Ｙに弾性化されている。したがって、図８に示したように、おむつ１０の着用時には、漏れバリアカフ８０が内装シート４２から離間するように起立して、着用者の脚の付け根近傍に密着するとともに、ガスケットカフ７０もガスケット弾性体７１によって、縦方向Ｙに弾性化され、起立するようにしてこれを着用者の太股の周囲に密着させることができる。したがって、漏れバリアカフ８０とガスケットカフ７０とによって二重のカフを形成し、脚回りからの尿等の漏れを防止することができる。
【００３７】
バリア弾性体８１は、その一端８１ａおよび他端８１ｂと、前後端縁４７，４８とが離間され、より具体的には、前後端フラップ４５，４６の縦方向Ｙ内側に位置されている。また、漏れバリアカフ８０は、一端８１ａおよび他端８１ｂの縦方向Ｙ外側では、バリア接合領域８２によって内装シート４２側へと接合されている。したがって、少なくともバリア接合領域８２が形成された部分においては、漏れバリアカフ８０は起立することがない。バリア接合領域８２は、前後フラップ４５，４６から縦方向Ｙの内側に向かって延びているが、少なくとも、延出領域３０ｂまでは延在せず、延出領域３０ｂに重ならないようにすることが好ましい。このような構成によって、延出領域３０ｂにおいて漏れバリアカフ８０は、身体側に起立して着用者に密着することができる。延出領域３０ｂは、着用者の身体から離間しやすいが、漏れバリアカフ８０によって、この領域からの尿等の漏れを防ぐことができる。
【００３８】
上記のようなおむつ１０において、後ウエスト域１２には延出領域３０ｂを形成することとしたので、延出領域３０ｂが着用者の臀および大腿部を被覆することができる。着用者の臀から大腿部を覆うことができるので、この部分から排泄物が漏れたとしても、延出領域３０ｂで受け止めることができ、排泄物で着衣等が汚れるのを防止することができる。また、延出領域３０ｂには延出弾性体５１が取り付けられているから、横方向Ｘに弾性化され、延出領域３０ｂが着用者の少なくとも臀部の曲線に沿ってこれに密着するようにカップ形状を有する。したがって、排泄物が漏れたとしても、より一層これを受け止め易い形状となる。特に、延出弾性体５１は、クロッチ域１３側において伸縮率を大きくしているので、全体として矩形を有するにもかかわらずカップ形状になり易く、延出領域３０ｂを着用者の肌へと押し付けることができ、これが妄りに折れたりめくれたりするのを防止することができる。
【００３９】
延出領域３０ｂには、シーム部１４が形成されないので、延出領域３０ｂにおける後内外面シート３４，３５の剛性が大きくなることがない。すなわち、後内外面シート３４，３５の柔らかい風合いを維持することができ、着用者の肌に対する刺激を低減することができる。また、既述したように、延出領域３０ｂでは後内端縁３３に隣接して後非接合域６４が形成されているので、後内側端３３においてもやわらかい風合いを維持することができる。後非接合域６４を形成しない場合には、後内端縁３３から接着剤がはみ出して、これが着用者の肌に付着して刺激を与える可能性も考えられるが、これを確実に防止することができる。また、前ウエスト弾性体２６および延出弾性体５１の最も仮想横中心線Ｑ−Ｑ側に位置する１本が、前後接合域６１，６２であって、前後非接合領域６３，６４との境界近傍に位置するようにしている。これにより前後非接合領域６３，６４の柔軟性を維持し、かつ、前ウエスト域１１および延出領域３０ｂを着用者の身体に密着させるという効果を効率よく発揮することができる。さらに、延出領域３０ｂを備えることによって、クロッチ部材４０と後ウエスト部材３０との接触領域を大きくすることができ、その分、クロッチ部材４０が後ウエスト部材３０に対して妄りに動いてしまうのを防止することができる。
【００４０】
なお、前後接合域６１，６２は、クロッチ部材４０と前後ウエスト部材２０，３０とが重なっている領域のほぼ全域において形成されることとしているが、その横方向Ｘの両側縁において、前後接合域６１，６２が形成されないようにすることができる。特にガスケット弾性体７１と重なる部分の少なくとも一部において、前後接合域６１，６２が形成されず、クロッチ部材４０が前後ウエスト部材２０，３０に対して離間可能とすることによって、ガスケットカフ７０が前後ウエスト部材２０，３０から離間して着用者の身体に密着し易くすることができる。
【００４１】
[第２実施例]
図９は、この発明の第２実施例を示したものであり、第１実施例の図３とほぼ同様の図である。この第２実施例では、後接合域６２が、縦方向Ｙに離間する第１および第２接合域６２ａ，６２ｂを含むことを特徴とする。この特徴以外の構成要素は、第１実施例と同様である。第１実施例と同様の構成要素については、その詳細な説明を省略し、この実施例において同じ符号を用いて説明する。
【００４２】
第１接合域６２ａは、後ウエスト部材３０のウエストフィット領域３０ａに位置し、第２接合域６２ｂは延出領域３０ｂに位置されている。これら第１接合域６２ａと第２接合域６２ｂとは、縦方向Ｙに離間して形成され、第２接合域６２ｂは、延出弾性体５１のうち、後内端縁３３に最も近い一条よりも縦方向Ｙ外側すなわち後外端縁３２側に位置されている。
【００４３】
第１接合域６２ａと第２接合域６２ｂとを離間させることによって、接着剤の使用量を減少させることができ、後ウエスト部材３０およびクロッチ部材４０の剛性が大きくなるのを防止することができる。
【００４４】
上記第１および第２実施例において、前後ウエスト部材２０，３０およびクロッチ部材４０をそれぞれ別体に形成し、前二者を後者で連結する、いわゆる３ピース構造のおむつを例に説明しているが、これに限ったものではなく、前後ウエスト域１１，１２およびクロッチ域１３が連続して構成されているようなおむつであってもよい。ただし、このような３ピース構造のおむつにおいて、この発明の効果がより一層発揮される。すなわち、前後ウエスト部材とクロッチ部材とを別体にすることによって、クロッチ部材は前後ウエスト部材に対して移動しやすく、特に、横方向Ｘにずれやすくなる。しかし、この発明では、延出領域３０ｂを形成することによって、後ウエスト部材３０とクロッチ部材４０とが重なる面積を大きくするとともに、クロッチ部材４０に取付けたガスケット弾性体７１と延出弾性体５１とが重なって固定されることとしたので、後ウエスト部材３０に対してクロッチ部材４０が移動しにくくなる。特に、横方向Ｘの二箇所でガスケット弾性体１７と延出弾性体５１とが固定されるので、横方向Ｘに対するずれを抑制することができる。例えば、おむつ１０の着用者である乳幼児を母親が抱っこして、乳幼児の臀に母親の腕が当たってこすれたような場合であっても、乳幼児に対しておむつ１０がずれるのを防止することができる。
【００４５】
前後ウエスト弾性体２６，３６は、一方の側縁２１，３１から他方の側縁２１，３１にまで連続して延びる構成としているが、例えばコア４１ａと重なる部分では切断されることによってその収縮力が作用しないようにしているものであってもよい。コア４１ａに弾性体の収縮力を作用させないようにするためには、接着手段で固定する等、他の手段を使用することもできる。
【００４６】
前後ウエスト部材２０，３０を横方向Ｘに弾性化するために、複数条の弾性糸を用いているが、これに限られることなく、弾性シートや帯状の弾性体等の種々の弾性体を用いることができる。同様に、ガスケット弾性体７１およびバリア弾性体８１も、種々の弾性体を用いることができる。吸液構造体４１として、中間部において横方向Ｘの長さ寸法が、前後部のそれよりも小さいものを用いているが、すべて同寸法のものを用いることも可能である。
【００４７】
延出領域３０ｂは、矩形に形成されているが、後両側縁３１と後内端縁３３とによって形成される角が形成されないようにすることもできる。この場合には、延出領域３０ｂが着用者に密着し易くなる。
【符号の説明】
【００４８】
１０    おむつ（着用物品）
１１    前ウエスト域
１２    後ウエスト域
１３    クロッチ域
１４    シーム部
２０    前ウエスト部材
２１    前両側縁
２６    前ウエスト弾性体
３０    後ウエスト部材
３０ａ  ウエストフィット領域
３０ｂ  延出領域
３１    後両側縁
３６    後ウエスト弾性体
４０    クロッチ部材
５１    延出弾性体
６１    前接合域
６２    後接合域
６２ａ  第１接合部
６２ｂ  第２接合部
６４    後非接合域
７０    ガスケットカフ
７１    ガスケット弾性体
７１ａ  一端
７１ｂ  他端
【図１】
0005385075.tif 000002
【図２】
0005385075.tif 000003
【図３】
0005385075.tif 000004
【図４】
0005385075.tif 000005
【図５】
0005385075.tif 000006
【図６】
0005385075.tif 000007
【図７】
0005385075.tif 000008
【図８】
0005385075.tif 000009
【図９】
0005385075.tif 000010